(57)【要約】【課題】本発明は展示機能を持つ水晶パッケージを開示した。【解決手段】ケース本体を含み、前記ケース本体にはケースチャンバが設置され、前記ケースチャンバの両側にはスライドチャンバが連通するように設置され、前記スライドチャンバの中には親ねじが回転できるように設置され、両側の前記親ねじの下端の間が同期ベルトにより伝動できるように連結され、左側の前記スライドチャンバの下端壁にはモータが固定的に設置され、本発明は構造が簡単で、操作が便利であり、サイド板と密封板との回転によりケースチャンバを開閉し、またケースチャンバを開けた後、水晶が置かれる回転盤が上昇し水晶をケース外にプッシュし、回転盤が回転し、水晶を回転できるように展示させ、またＬＥＤライトが設置され照明し、展示に便利である。【選択図】図１
2020175100.tif 000002
【特許請求の範囲】
【請求項１】
ケース本体を含み、前記ケース本体にはケースチャンバが設置され、前記ケースチャンバの両側にはスライドチャンバが連通するように設置され、前記スライドチャンバの中には親ねじが回転できるように設置され、両側の前記親ねじの下端の間が同期ベルトにより伝動できるように連結され、左側の前記スライドチャンバの下端壁にはモータが固定的に設置され、左側の前記親ねじの下端が前記モータに伝動できるように連結され、前記親ねじの間には支え板がネジ山により連結され、前記支え板の上端面には環状溝が設置され、前記支え板の中には空き溝が設置され、前記空き溝の中には回転軸により第一傘歯車が回転できるように設置され、前記回転軸には回転盤が固定的に設置され、前記回転盤の下端面には前記環状溝とスライドできるように連結される環状ブロックが固定的に設置され、前記空き溝の中には連結軸により前記第一傘歯車と噛合している第二傘歯車が回転できるように設置され、前記連結軸の左端が左側の前記スライドチャンバの中に挿入され、且つ前記連結軸の左端には第三傘歯車が固定的に設置され、前記ケースチャンバの左側には動力装置が設置され、前記動力装置と前記第三傘歯車とが噛合しており、前記ケースチャンバの左右両側には回転チャンバが設置され、前記回転チャンバの中には回転ロッドによりサイド板が回転できるように設置され、前記ケースチャンバの前後両側には回転溝が設置され、前記回転溝の中には固定ロッドにより密封板が回転できるように設置され、隣接の前記回転溝と前記回転チャンバとの間には連結チャンバが連通するように設置され、二つの前記回転ロッドの前後端がそれぞれ前記連結チャンバの中に挿入され、且つ二つの前記回転ロッドの前後端には第四傘歯車が固定的に設置され、二つの前記固定ロッドの左右端がそれぞれ前記連結チャンバの中に挿入され、且つ二つの前記固定ロッドの左右端には第五傘歯車が固定的に設置され、前記連結チャンバの中にある前記第五傘歯車と前記第四傘歯車とが噛合しており、前記サイド板と前記密封板の内端壁とにはいずれもＬＥＤライトが固定的に設置され、四つの前記ＬＥＤライトの下端にはそれぞれ導電柱が電気により接続され、前記ケースチャンバの外側には環状の電気ブロックが固定的に設置され、前記電気ブロックの上端には四つのそれぞれ前記導電柱と電気により接続される通電ロッドがいずれも設置され、前記電気ブロックの左下側には蓄電池が電気により接続され、
前記サイド板と前記密封板とが外側に回転し前記ケースチャンバを開け、前記回転盤が上昇し前記回転盤に置かれる水晶を回転連動させて展示することを特徴とする展示機能を持つ水晶パッケージ。
【請求項２】
前記動力装置は移動チャンバを含み、前記移動チャンバの左端壁には電動機が固定的に設置され、前記電動機の右端には前記移動チャンバの右端壁と回転できるように連結される動力軸が伝動できるように連結され、前記動力軸にはスプラインスリーブがスプラインにより連結され、前記スプラインスリーブの外周には移動ブロックが回転できるように設置され、前記移動チャンバの下側には連通溝により押し溝が連通するように設置され、前記移動ブロックの下端が前記押し溝の中に挿入され、且つ前記移動ブロックの下端には押しロッドが固定的に設置され、前記押しロッドの左端と前記押し溝との間には押圧ばねが固定的に設置され、前記押し溝の右端壁と左側の前記スライドチャンバとが連通しており、前記押しロッドの右端が前記スライドチャンバの中に挿入され、前記移動チャンバの上側には伝動装置が設置され、前記伝動装置が前記スプラインスリーブと噛合でき、前記伝動装置の右側には前記移動チャンバと連通している噛合溝が設置され、前記噛合溝の中には連結歯車が回転できるように設置され、前記連結歯車の下端面と前記スプラインスリーブとが噛合しており、前記噛合溝の中には固定軸により第六傘歯車が回転できるように設置され、前記第六傘歯車と前記連結歯車の右端面とが噛合しており、前記噛合溝の上端壁の中には連結溝が連通するように設置され、前記固定軸の上端が前記連結溝の中に挿入され、且つ前記固定軸の上端には第七傘歯車が固定的に設置され、前記第七傘歯車と前記第三傘歯車とが噛合しており、
前記連結歯車と前記スプラインスリーブとが噛合するとき、前記電動機が前記回転盤を駆動し回転させることを特徴とする請求項１に記載の展示機能を持つ水晶パッケージ。
【請求項３】
前記伝動装置は前記移動チャンバと連通している開け溝を含み、前記開け溝の中には心棒により前記スプラインスリーブと噛合できる平歯車が回転できるように設置され、前記開け溝の上側には空きチャンバが設置され、前記空きチャンバの中にはウォームが回転できるように設置され、前記ウォームと前記心棒との間がベルトにより伝動できるように連結され、前記空きチャンバの中には輪軸により前記ウォームと噛合しているウォームホイールが回転できるように設置され、前記輪軸と左側の前記回転ロッドとの間が歯状ベルトにより伝動できるように連結され、
前記平歯車と前記スプラインスリーブとが噛合するとき、前記電動機が前記サイド板と前記密封板とを駆動し回転させることを特徴とする請求項２に記載の展示機能を持つ水晶パッケージ。
【発明の詳細な説明】
【技術分野】
【０００１】
本発明は包装技術分野を取り上げて、具体的には展示機能を持つ水晶パッケージである。
【背景技術】
【０００２】
既存の水晶パッケージは水晶を保存し又は運輸することに使用されるが、その中にある水晶を展示するとき、手で水晶を取り出す必要があり、また手で持って回転させて観賞し、その過程では、観賞する人が水晶と直接に接触し、水晶が壊れやすく、また独立的なライトで展示を補助する必要があり、従って、既存の水晶パッケージをさらに改善する必要があり、それによりパッケージの展示機能を高める。
【先行技術文献】
【特許文献】
【０００３】
【特許文献１】中国特許出願公開第108423263号明細書
【発明の概要】
【発明が解決しようとする課題】
【０００４】
本発明の目的は展示機能を持つ水晶パッケージを提供し、それは上記の現在の技術中の問題を解決できる。
【課題を解決するための手段】
【０００５】
本発明の展示機能を持つ水晶パッケージは、ケース本体を含み、前記ケース本体にはケースチャンバが設置され、前記ケースチャンバの両側にはスライドチャンバが連通するように設置され、前記スライドチャンバの中には親ねじが回転できるように設置され、両側の前記親ねじの下端の間が同期ベルトにより伝動できるように連結され、左側の前記スライドチャンバの下端壁にはモータが固定的に設置され、左側の前記親ねじの下端が前記モータに伝動できるように連結され、前記親ねじの間には支え板がネジ山により連結され、前記支え板の上端面には環状溝が設置され、前記支え板の中には空き溝が設置され、前記空き溝の中には回転軸により第一傘歯車が回転できるように設置され、前記回転軸には回転盤が固定的に設置され、前記回転盤の下端面には前記環状溝とスライドできるように連結される環状ブロックが固定的に設置され、前記空き溝の中には連結軸により前記第一傘歯車と噛合している第二傘歯車が回転できるように設置され、前記連結軸の左端が左側の前記スライドチャンバの中に挿入され、且つ前記連結軸の左端には第三傘歯車が固定的に設置され、前記ケースチャンバの左側には動力装置が設置され、前記動力装置と前記第三傘歯車とが噛合しており、前記ケースチャンバの左右両側には回転チャンバが設置され、前記回転チャンバの中には回転ロッドによりサイド板が回転できるように設置され、前記ケースチャンバの前後両側には回転溝が設置され、前記回転溝の中には固定ロッドにより密封板が回転できるように設置され、隣接の前記回転溝と前記回転チャンバとの間には連結チャンバが連通するように設置され、二つの前記回転ロッドの前後端がそれぞれ前記連結チャンバの中に挿入され、且つ二つの前記回転ロッドの前後端には第四傘歯車が固定的に設置され、二つの前記固定ロッドの左右端がそれぞれ前記連結チャンバの中に挿入され、且つ二つの前記固定ロッドの左右端には第五傘歯車が固定的に設置され、前記連結チャンバの中にある前記第五傘歯車と前記第四傘歯車とが噛合しており、前記サイド板と前記密封板の内端壁とにはいずれもＬＥＤライトが固定的に設置され、四つの前記ＬＥＤライトの下端にはそれぞれ導電柱が電気により接続され、前記ケースチャンバの外側には環状の電気ブロックが固定的に設置され、前記電気ブロックの上端には四つのそれぞれ前記導電柱と電気により接続される通電ロッドがいずれも設置され、前記電気ブロックの左下側には蓄電池が電気により接続され、
前記サイド板と前記密封板とが外側に回転し前記ケースチャンバを開け、前記回転盤が上昇し前記回転盤に置かれる水晶を回転連動させて展示する。
【０００６】
さらなる技術プラン、前記動力装置は移動チャンバを含み、前記移動チャンバの左端壁には電動機が固定的に設置され、前記電動機の右端には前記移動チャンバの右端壁と回転できるように連結される動力軸が伝動できるように連結され、前記動力軸にはスプラインスリーブがスプラインにより連結され、前記スプラインスリーブの外周には移動ブロックが回転できるように設置され、前記移動チャンバの下側には連通溝により押し溝が連通するように設置され、前記移動ブロックの下端が前記押し溝の中に挿入され、且つ前記移動ブロックの下端には押しロッドが固定的に設置され、前記押しロッドの左端と前記押し溝との間には押圧ばねが固定的に設置され、前記押し溝の右端壁と左側の前記スライドチャンバとが連通しており、前記押しロッドの右端が前記スライドチャンバの中に挿入され、前記移動チャンバの上側には伝動装置が設置され、前記伝動装置が前記スプラインスリーブと噛合でき、前記伝動装置の右側には前記移動チャンバと連通している噛合溝が設置され、前記噛合溝の中には連結歯車が回転できるように設置され、前記連結歯車の下端面と前記スプラインスリーブとが噛合しており、前記噛合溝の中には固定軸により第六傘歯車が回転できるように設置され、前記第六傘歯車と前記連結歯車の右端面とが噛合しており、前記噛合溝の上端壁の中には連結溝が連通するように設置され、前記固定軸の上端が前記連結溝の中に挿入され、且つ前記固定軸の上端には第七傘歯車が固定的に設置され、前記第七傘歯車と前記第三傘歯車とが噛合しており、
前記連結歯車と前記スプラインスリーブとが噛合するとき、前記電動機が前記回転盤を駆動し回転させる。
【０００７】
さらなる技術プラン、前記伝動装置は前記移動チャンバと連通している開け溝を含み、前記開け溝の中には心棒により前記スプラインスリーブと噛合できる平歯車が回転できるように設置され、前記開け溝の上側には空きチャンバが設置され、前記空きチャンバの中にはウォームが回転できるように設置され、前記ウォームと前記心棒との間がベルトにより伝動できるように連結され、前記空きチャンバの中には輪軸により前記ウォームと噛合しているウォームホイールが回転できるように設置され、前記輪軸と左側の前記回転ロッドとの間が歯状ベルトにより伝動できるように連結され、
前記平歯車と前記スプラインスリーブとが噛合するとき、前記電動機が前記サイド板と前記密封板とを駆動し回転させる。
【発明の効果】
【０００８】
本発明の有益的な効果は：本発明は構造が簡単で、操作が便利であり、サイド板と密封板との回転によりケースチャンバを開閉し、またケースチャンバを開けた後、水晶が置かれる回転盤が上昇し水晶をケース外にプッシュし、回転盤が回転し、水晶を回転できるように展示させ、またＬＥＤライトが設置され照明し、展示に便利であり、そして、パッケージが保存と運輸に使用され、使用範囲が広い。
【図面の簡単な説明】
【０００９】
【図１】図１は本発明の展示機能を持つ水晶パッケージの内部全体構造概略図
【図２】図２は本発明の図１の「サイド板と密封板とが当接するとき」の上面構造概略図
【図３】図３は本発明の図１のＡ−Ａ方向の構造概略図
【図４】図４は本発明の図１のＢの拡大構造概略図
【図５】図５は本発明の図１のＣの拡大構造概略図
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参照し、本発明の展示機能を持つ水晶パッケージは、ケース本体１０を含み、前記ケース本体１０にはケースチャンバ１１が設置され、前記ケースチャンバ１１の両側にはスライドチャンバ１２が連通するように設置され、前記スライドチャンバ１２の中には親ねじ１３が回転できるように設置され、両側の前記親ねじ１３の下端の間が同期ベルト６４により伝動できるように連結され、左側の前記スライドチャンバ１２の下端壁にはモータ６３が固定的に設置され、左側の前記親ねじ１３の下端が前記モータ６３に伝動できるように連結され、前記親ねじ１３の間には支え板１４がネジ山により連結され、前記支え板１４の上端面には環状溝２０が設置され、前記支え板１４の中には空き溝１５が設置され、前記空き溝１５の中には回転軸１７により第一傘歯車１６が回転できるように設置され、前記回転軸１７には回転盤１８が固定的に設置され、前記回転盤１８の下端面には前記環状溝２０とスライドできるように連結される環状ブロック１９が固定的に設置され、前記空き溝１５の中には連結軸２２により前記第一傘歯車１６と噛合している第二傘歯車２１が回転できるように設置され、前記連結軸２２の左端が左側の前記スライドチャンバ１２の中に挿入され、且つ前記連結軸２２の左端には第三傘歯車２５が固定的に設置され、前記ケースチャンバ１１の左側には動力装置１００が設置され、前記動力装置１００と前記第三傘歯車２５とが噛合しており、前記ケースチャンバ１１の左右両側には回転チャンバ２７が設置され、前記回転チャンバ２７の中には回転ロッド２９によりサイド板２８が回転できるように設置され、前記ケースチャンバ１１の前後両側には回転溝３３が設置され、前記回転溝３３の中には固定ロッド３５により密封板３４が回転できるように設置され、隣接の前記回転溝３３と前記回転チャンバ２７との間には連結チャンバ３６が連通するように設置され、二つの前記回転ロッド２９の前後端がそれぞれ前記連結チャンバ３６の中に挿入され、且つ二つの前記回転ロッド２９の前後端には第四傘歯車３８が固定的に設置され、二つの前記固定ロッド３５の左右端がそれぞれ前記連結チャンバ３６の中に挿入され、且つ二つの前記固定ロッド３５の左右端には第五傘歯車３７が固定的に設置され、前記連結チャンバ３６の中にある前記第五傘歯車３７と前記第四傘歯車３８とが噛合しており、前記サイド板２８と前記密封板３４の内端壁とにはいずれもＬＥＤライト３０が固定的に設置され、四つの前記ＬＥＤライト３０の下端にはそれぞれ導電柱３１が電気により接続され、前記ケースチャンバ１１の外側には環状の電気ブロック４０が固定的に設置され、前記電気ブロック４０の上端には四つのそれぞれ前記導電柱３１と電気により接続される通電ロッド４１がいずれも設置され、前記電気ブロック４０の左下側には蓄電池４２が電気により接続され、
前記サイド板２８と前記密封板３４とが外側に回転し前記ケースチャンバ１１を開け、前記回転盤１８が上昇し前記回転盤１８に置かれる水晶を回転連動させて展示する。
【００１２】
有益的には、前記動力装置１００は移動チャンバ４６を含み、前記移動チャンバ４６の左端壁には電動機４７が固定的に設置され、前記電動機４７の右端には前記移動チャンバ４６の右端壁と回転できるように連結される動力軸４８が伝動できるように連結され、前記動力軸４８にはスプラインスリーブ４９がスプラインにより連結され、前記スプラインスリーブ４９の外周には移動ブロック５０が回転できるように設置され、前記移動チャンバ４６の下側には連通溝５４により押し溝５１が連通するように設置され、前記移動ブロック５０の下端が前記押し溝５１の中に挿入され、且つ前記移動ブロック５０の下端には押しロッド５２が固定的に設置され、前記押しロッド５２の左端と前記押し溝５１との間には押圧ばね５３が固定的に設置され、前記押し溝５１の右端壁と左側の前記スライドチャンバ１２とが連通しており、前記押しロッド５２の右端が前記スライドチャンバ１２の中に挿入され、前記移動チャンバ４６の上側には伝動装置２００が設置され、前記伝動装置２００が前記スプラインスリーブ４９と噛合でき、前記伝動装置２００の右側には前記移動チャンバ４６と連通している噛合溝４３が設置され、前記噛合溝４３の中には連結歯車４５が回転できるように設置され、前記連結歯車４５の下端面と前記スプラインスリーブ４９とが噛合しており、前記噛合溝４３の中には固定軸２６により第六傘歯車４４が回転できるように設置され、前記第六傘歯車４４と前記連結歯車４５の右端面とが噛合しており、前記噛合溝４３の上端壁の中には連結溝２３が連通するように設置され、前記固定軸２６の上端が前記連結溝２３の中に挿入され、且つ前記固定軸２６の上端には第七傘歯車２４が固定的に設置され、前記第七傘歯車２４と前記第三傘歯車２５とが噛合しており、
前記連結歯車４５と前記スプラインスリーブ４９とが噛合するとき、前記電動機４７が前記回転盤１８を駆動し回転させる。
【００１３】
有益的には、前記伝動装置２００は前記移動チャンバ４６と連通している開け溝５５を含み、前記開け溝５５の中には心棒５６により前記スプラインスリーブ４９と噛合できる平歯車５７が回転できるように設置され、前記開け溝５５の上側には空きチャンバ５８が設置され、前記空きチャンバ５８の中にはウォーム５９が回転できるように設置され、前記ウォーム５９と前記心棒５６との間がベルト６０により伝動できるように連結され、前記空きチャンバ５８の中には輪軸６１により前記ウォーム５９と噛合しているウォームホイール６２が回転できるように設置され、前記輪軸６１と左側の前記回転ロッド２９との間が歯状ベルト３９により伝動できるように連結され、
前記平歯車５７と前記スプラインスリーブ４９とが噛合するとき、前記電動機４７が前記サイド板２８と前記密封板３４とを駆動し回転させる。
【００１４】
初期状態に、水晶が回転盤１８に置かれ、サイド板２８と密封板３４とが当接しケースチャンバ１１を密封し、支え板１４がケースチャンバ１１の下側の限界位置に位置しており、押しロッド５２が第三傘歯車２５と当接しており、スプラインスリーブ４９と平歯車５７とが噛合している。
【００１５】
装置が作動するとき、電動機４７が作動し、スプラインスリーブ４９を駆動し回転させ、それにより平歯車５７が回転し、ウォーム５９にウォームホイール６２を回転連動させ、歯状ベルト３９により回転ロッド２９と密封板３４とを同期に外部へ回転させケースチャンバ１１を開け、ウォーム５９とウォームホイール６２の自動ロック性によりサイド板２８と密封板３４とを安定反転させ、このとき、導電柱３１と通電ロッド４１とが当接して通電し、四つのＬＥＤライト３０が点灯され、そして、モータ６３が作動し、親ねじ１３を駆動し回転させ、それにより支え板１４が上昇し、回転盤１８が共に上昇し、支え板１４が第三傘歯車２５と第七傘歯車２４とが噛合するまで上昇したとき、モータ６３が作動を停止し、その過程では、押しロッド５２が押圧ばね５３の作用により右に移動し、移動ブロック５０によりスプラインスリーブ４９を右に移動させ、それによりスプラインスリーブ４９が連結歯車４５と噛合し、電動機４７が連結歯車４５を駆動し回転させ、固定軸２６により第七傘歯車２４を回転させ、それにより第三傘歯車２５が回転し、回転軸１７に回転盤１８を回転連動させ、それにより回転盤１８にある水晶が回転し展示され、展示が終わると、モータ６３が反転作動し、回転盤１８が水晶を降下連動させケースチャンバ１１の中に収縮させ、またスプラインスリーブ４９が平歯車５７と噛合し、電動機４７が反転作動し、サイド板２８と密封板３４とを回転し集まらせケースチャンバ１１を密封し、パッケージが初期状態に戻る。
【００１６】
本発明の有益的な効果は：本発明は構造が簡単で、操作が便利であり、サイド板と密封板との回転によりケースチャンバを開閉し、またケースチャンバを開けた後、水晶が置かれる回転盤が上昇し水晶をケース外にプッシュし、回転盤が回転し、水晶を回転できるように展示させ、またＬＥＤライトが設置され照明し、展示に便利であり、そして、パッケージが保存と運輸に使用され、使用範囲が広い。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175100.tif 000003
【図２】
2020175100.tif 000004
【図３】
2020175100.tif 000005
【図４】
2020175100.tif 000006
【図５】
2020175100.tif 000007